(57)【要約】【課題】  従来の暖房用配管等の栽培補助用装置は、前後方向に延びる構成であり、植物の生長点付近に局所的に作用する構成であり、上下方向に延びる植物全体へ作用させることができない。  そこで、例えば前後方向に延びる栽培補助用装置を同一の栽培条間に上下に複数配列する等して、植物の上下にわたって作用する構成とすることが考えられるが、構造が大掛かりなものとなって植物への受光を制限したり通路からの作業の邪魔になることも考えられる。  本発明は、良好な栽培を行うと共に、作業性を向上させることを課題とする。【解決手段】  左右一対の栽培条にて植物を栽培する栽培ユニットを左右並列に複数設け、各々の栽培ユニットの左右間に前後方向の通路（９）を形成し、左右一対の栽培条の左右間の上方から吊り下げられ上下方向に延びる栽培補助用装置（１２１，１２２）を、前後方向に移動可能に設けた栽培施設とした。【選択図】図１２
2014124167.tif 000002
【特許請求の範囲】
【請求項１】
左右一対の栽培条にて植物を栽培する栽培ユニットを左右並列に複数設け、各々の栽培ユニットの左右間に前後方向の通路（９）を形成し、左右一対の栽培条の左右間の上方から吊り下げられ上下方向に延びる栽培補助用装置（１２１，１２２）を、前後方向に移動可能に設けた栽培施設。
【発明の詳細な説明】
【技術分野】
【０００１】
この発明は、栽培施設の技術分野に属する。
【背景技術】
【０００２】
栽培施設において、左右一対の栽培条にて植物を栽培する栽培ユニットとなる栽培ベッドを左右並列に複数設け、各々の栽培ユニットの左右間に前後方向の通路を形成し、左右一対の栽培条の左右間の上方から吊り下げられる栽培補助用装置となる熱作用部を設けたものがある。この熱作用部は、前後方向に延びる配管であり、配管に冷水又は温水を流すことにより配管付近となる植物の生長点付近を局所的に冷房又は暖房したり、配管からノズルを介して栽培条の植物へ向けて冷水又は温水を噴霧して植物の生長点付近を局所的に冷房又は暖房したりする構成となっている（特許文献１参照）。
【先行技術文献】
【特許文献】
【０００３】
【特許文献１】特開２０１１−４５３１７号公報
【発明の概要】
【発明が解決しようとする課題】
【０００４】
上記背景技術における栽培補助用装置は、前後方向に延びる構成であり、植物の生長点付近に局所的に作用する構成であり、上下方向に延びる植物全体へ作用させることができない。
【０００５】
そこで、例えば前後方向に延びる栽培補助用装置を同一の栽培条間に上下に複数配列する等して、植物の上下にわたって作用する構成とすることが考えられるが、構造が大掛かりなものとなって植物への受光を制限したり通路からの作業の邪魔になることも考えられる。
【０００６】
本発明は、良好な栽培を行うと共に、作業性を向上させることを課題とする。
【課題を解決するための手段】
【０００７】
上記課題を解決するために、次のような技術的手段を講じた。
【０００８】
すなわち、請求項１に係る発明は、左右一対の栽培条にて植物を栽培する栽培ユニットを左右並列に複数設け、各々の栽培ユニットの左右間に前後方向の通路（９）を形成し、左右一対の栽培条の左右間の上方から吊り下げられ上下方向に延びる栽培補助用装置（１２１，１２２）を、前後方向に移動可能に設けた栽培施設とした。
【発明の効果】
【０００９】
請求項１に係る発明によると、上下方向に延びる栽培補助用装置１２１，１２２により、植物の上下にわたって栽培補助作用を与えることができる。また、栽培補助用装置１２１，１２２が前後方向に移動することにより、左右両側の栽培条の前後幅にわたって栽培補助作用を与えることができる。しかも、栽培補助用装置１２１，１２２が前後方向に移動するので、植物の採光性を妨げることが極力抑えられ、良好な栽培が行える。更に、通路９に面する栽培条に対して通路とは左右反対側に栽培補助用装置１２１，１２２が位置するので、通路９からの作業の邪魔になりにくく、作業性が向上する。
【図面の簡単な説明】
【００１０】
【図１】栽培施設を判り易く示す平面図
【図２】誘引ワイヤ及び誘引紐を示す正面図
【図３】温調用パイプ及び根圏温調用パイプを示す側面図
【図４】温調用パイプ及び根圏温調用パイプを示す正面図
【図５】作業移動車を示す側面図
【図６】果実個数表示システムを判り易く示す平面図
【図７】養液供給装置の養液移送系統を判り易く示す図
【図８】通風管を示す図
【図９】排液受け容器を示す図
【図１０】地下水放射線濃度測定器を備える地下水利用装置を判り易く示す図
【図１１】暖房設備を判り易く示す図
【図１２】上部移動用レールにより栽培補助用配管が前後移動する構成を判り易く示す正面図
【図１３】遮光カーテンを示す平面図
【図１４】従来の遮光カーテンを示す平面図
【図１５】冷房装置を判り易く示す正面図
【図１６】冷房装置を判り易く示す側面図
【発明を実施するための形態】
【００１１】
この発明の実施の一形態を、以下に説明する。
【００１２】
図１は栽培施設の一例を示すものであり、この栽培施設は、暖房機や加湿機等により温度及び湿度等の室内環境が管理される温室である栽培室１と、該栽培室１に隣接する出荷室２とを備えている。前記栽培室１内の中央には作業者又は作業移動車（作業台車）３あるいは防除作業車等が通過できるメイン通路４を設けており、このメイン通路４は、路面がコンクリートで構成されたコンクリート通路である。メイン通路４の両側の側方位置には、栽培ユニットとなる栽培ベッド５を多数列配置した作物を栽培するための栽培スペース６を構成している。尚、前記栽培ベッド５はロックウールで形成され、出荷室２内の養液供給装置７から各栽培ベッド５へ養液が供給される構成となっている。また、メイン通路４の両端には開閉扉を備える栽培室１への出入り口８を設け、一方の出入り口８を介して隣接する出荷室２へ行き来できる構成となっている。尚、他方の出入り口８は、栽培施設の屋外から出入りできる構成となっている。そして、作業移動車をメイン通路４から各々の栽培ユニット（栽培ベッド５）の間のサブ通路９に移動させ、該サブ通路９で栽培ユニット（栽培ベッド５）に沿って作業移動車３を移動させながら栽培する植物に対する各種作業を行うことができる。サブ通路９は、各々の栽培ユニット（栽培ベッド５）の左右間で前後方向に形成される通路となる。尚、作業移動車３は、サブ通路９上に敷設された後述する左右の暖房用管３７を走行用のレールとして走行する。
【００１３】
前記出荷室２内には、前述した養液供給装置７と、収穫されたトマト等の収穫物（果実）を重量や大きさあるいは等級別に選別する選別装置１０とを備えている。尚、該選別装置１０が、栽培された作物を出荷前に処理する前処理装置となる。選別装置１０は、収穫物を搬送して選別する選別コンベア１１と、該選別コンベア１１の両側の側方に設けられた各階級毎の収穫物収容部１２とを備えて構成され、選別コンベア１１から各収穫物収容部１２へ収穫物を供給して各階級に選別する構成となっている。尚、前記選別コンベア１１は、平面視でＬ字状に屈曲した構成となっている。また、各々の収穫物収容部１２には収穫物を収容する収容箱を設けて、この収容箱ごとに収穫物を出荷すればよい。
【００１４】
栽培ユニット（栽培ベッド５）の上側には、該栽培条に沿う誘引ワイヤ８０を各栽培ユニットごとに左右に２本設けている。そして、栽培ユニットで栽培される植物の複数の栽培株は、左右の誘引ワイヤ８０により交互に振り分けて誘引される構成となっており、誘引ワイヤ８０から誘引フック９３を介して垂れ下がる誘引紐８１により誘引される。尚、誘引フック９１は、誘引ワイヤ８０に吊り下げられる構成であり、巻き付けた誘引紐８１を適宜繰り出して下方に垂れ下がらせる周知の構成となっている。従って、例えばトマトを栽培する場合、トマトの茎が栽培ベッド５から誘引紐８１を伝って伸長することになる。よって、栽培ユニット（栽培ベッド５）において、２条の栽培条すなわち左右一対の栽培条が形成されることになる。尚、各栽培植物（栽培株）が効率良く受光するためには各栽培植物（栽培株）の間隔が栽培室１内全体にわたって略同等となるのが理想であり、そのために、誘引ワイヤ８０はサブ通路９の上方に位置しており、栽培植物がサブ通路９上にはみ出るようにしている。
【００１５】
誘引ワイヤ８０及び栽培ベッド５の上方には、温調用パイプ９１を設けている。また、温調用パイプ９１及び誘引ワイヤ８０よりも下位となる栽培ベッド５の直上には、根圏温調用パイプ９２を設けている。温調用パイプ９１及び根圏温調用パイプ９２は、誘引ワイヤ８０すなわち栽培条の方向（前後方向）に伸び、温調用の流体である温水又は冷水が流れる構成となっている。根圏温調用パイプ９２は、栽培ユニット（栽培ベッド５）ごとに設けられる。温調用パイプ９１は、誘引ワイヤ８０に対応して設けられ、栽培条ごとに設けられている。従って、根圏温調用パイプ９２に温調用の流体を流すことにより、栽培ベッド５を加温又は冷却し、栽培植物（例えばトマト）の根圏の温度調節を行う。
【００１６】
また、この構成においては、温調用パイプ９１から複数の水供給パイプ１０５を介して各々の誘引フック９３へ温水又は冷水が供給され、誘引紐８１を可撓性があるフレキシブルなパイプにより構成し、誘引フック９３の構成によりパイプ兼用の誘引紐８１へ温水又は冷水を流水する構成となっている。誘引紐の下端は根圏温調用パイプ９２に接続され、誘引紐８１で流水する温水又は冷水が根圏温調用パイプ９２へ供給される構成となっている。従って、誘引紐８１内の流水により、植物の茎の近傍を加温又は冷却し、植物の近傍の温度調節を行う。よって、温調用パイプ９１、根圏温調用パイプ９２及び誘引紐８１により、植物の極めて近傍で局所的に暖房又は冷房することができて温調効率を向上させることができ、栽培室１全体を暖房又は冷房するのに比較して温調によるランニングコストの削減が図れる。熱源としては、温水又は冷水等の熱媒体を吐出して供給する電気式の加熱装置（チラー）を用いる。従って、加熱装置から温水又は冷水が温調用パイプ９１に供給され、その温水又は冷水が根圏温調用パイプ９２から加熱装置へ戻る循環経路を構成している。尚、前記加熱装置に代えて、後述する第一加温装置３１又は第二加温装置３２からの熱媒体を供給する構成としてもよい。尚、流水する冷水は、地下水を使用すればよい。
【００１７】
サブ通路９上において、作業移動車３は作業者が作業の進捗状況に応じて走行操作を行って適宜移動させる構成であるが、防除作業車は自動走行しながら自動的に防除する構成である。防除作業車は、サブ通路９を往復走行することになるが、防除する栽培条の防除の必要量に応じて、往復走行における片道走行時にのみ防除作業を行う片道防除状態と、往復走行で防除作業を行う往復防除状態と、同じサブ通路９を２回往復走行させてその２回の往復走行で防除作業を行う２往復防除状態とに切替できる構成となっている。これにより、必要以上の防除による栽培植物への悪影響を防止すると共に、病害虫の発生度合の高い栽培条において防除効果の向上を図ることができる。
【００１８】
作業移動車（作業台車）３は、前後左右計４個の走行車輪１０６と、作業者が搭乗する昇降可能な昇降台１０７と、走行車輪１０６及び昇降台１０７を駆動する駆動源となる電動モータを備え、作業者が昇降台１０７に搭乗し、走行車輪１０６により走行させて所望の位置に移動し、昇降台１０７を所望の高さに昇降させながら、栽培植物の葉欠き、芽欠き及び収穫等の作業を行う周知の構成となっている。走行車輪１０６は、機体の左右方向外側に配置される大径部と機体の左右方向内側に配置される小径部が一体に形成され、大径部と小径部との段差で走行用のレールとなる暖房用管３７に案内される。昇降台１０７上の発進操作具となるフットスイッチ１０８を足で踏み込んで操作することにより、前記電動モータを駆動して発進し走行する構成となっている。そして、フットスイッチ１０８を操作した累計回数をカウントして作業移動車３に備える作業移動車制御部（制御コントローラ）１０９に記憶し、前記累計回数が設定回数を超えたら作業移動車制御部１０９からの出力により警告手段となる警告ランプ１１０を点灯させる。これにより、発進で走行車輪１０６への伝動系（特に走行車輪１０６の車軸）に強い負荷がかかった回数に基づいて伝動系（走行車輪１０６の車軸）の疲労に伴う点検を適切な時期に促すことができ、伝動部材（特に走行車輪１０６の車軸）について適切な時期に交換等のメンテナンスが行える。
【００１９】
また、作業移動車３又は防除作業車には、サブ通路９から栽培植物を撮影するカメラ９４を設けることができる。カメラ９４により、作業移動車３又は防除作業車を走行させながら、各々の栽培株で成熟した果実を自動的に検出する。カメラ９４が撮影した画像データが無線により制御部（コントローラ）２６に送信され、制御部（コントローラ）２６内の果実判別装置により成熟した果実を検出する。例えば、果実がトマトである場合、果実が成熟すれば赤くなるので、果実判別装置がカメラ９４により撮影した画像を処理して色彩判別することにより成熟した果実を検出する構成となっている。尚、色彩判別以外に、形状や大きさ等により成熟した果実を判別する構成としてもよい。また、画像データと共に作業移動車３又は防除作業車の位置情報が無線により制御部（コントローラ）２６に送信され、栽培室１内のどの栽培株の画像であるかを認識する構成となっている。位置情報は、作業移動車３又は防除作業車に設けたＧＰＳ発信機により得ることができる。これにより、各々の栽培株ごとの成熟果実の個数をカウントする。そして、制御部２６は、栽培株ごとの成熟果実の個数から各々の栽培条ごとの成熟果実の総数及び栽培室１内全体の成熟果実の総数を演算し、これらの成熟果実の総数から成熟果実を収穫する作業者を設定する。この作業者の設定について詳細に説明すると、複数の作業者の各々の作業能力（作業速度、作業能率：例えば単位時間当たりの成熟果実の収穫個数等）を予め制御部２６に入力しておき、栽培室１内全体の成熟果実の総数から前記作業能力に応じて各作業者の仮収穫個数を演算する。そして、演算した仮収穫個数に基づいて、栽培室１の端の栽培条から順に作業者を割り振り、各作業者の作業領域を設定する。このとき、同一の栽培条に複数の作業者の作業領域がまたがらないよう、栽培条ごとに作業者を設定する。
【００２０】
各々の栽培株の上方位置には電光表示板である個数表示器９５を設けており、制御部２６から個数表示器９５への無線による送信により、対応する栽培株における成熟果実の個数が個数表示器９５に表示される。また、各々の栽培条の入口（メイン通路４側の端部）にはモニター９６を設けており、制御部２６からモニター９６への無線による送信により、栽培条における成熟果実の総数と収穫作業をする作業者名がモニター９６に表示される。作業者は、自分の名前が表示されているモニター９６に対応する栽培条で収穫作業を行うことになる。作業者は、モニター９６に表示される栽培条における成熟果実の総数と、個数表示器９５に表示される各々の栽培株ごとの成熟果実の個数を認識しながら、サブ通路９上で収穫作業を行う。これにより、作業者の作業能力に拘らず、栽培室１内全体の収穫作業を複数の作業者で効率良く行えると共に、成熟果実の発見を容易に行えるため、収穫作業が容易になり、作業時間の短縮が図れる。また、栽培条ごとに作業者を設定するので、同一のサブ通路９上で複数の作業者が同時に作業をしないようにでき、作業能率が向上する。尚、サブ通路９間に栽培条が２条あるので、サブ通路９の両側に面する一対の栽培条ごとに作業者を設定することが望ましい。
【００２１】
また、カメラ９４により植物の葉の裏の気孔を撮影し、制御部２６により気孔の大きさを判断する。一方、栽培室１内へ二酸化炭素を供給する二酸化炭素供給装置を設け、制御部２６により、カメラからの撮影画像が気孔が大きいと判断されるときは、栽培室１内の二酸化炭素の濃度に拘らず後述する二酸化炭素供給装置から二酸化炭素を吐出する。これにより、気孔が大きく開いて光合成が活発なときに、的確に二酸化炭素を供給でき、従来の二酸化炭素濃度に基づく二酸化炭素供給制御と比較して二酸化炭素の無駄な供給を低減できる。
【００２２】
また、作業移動車３に放射能測定器を設ければ、例えば無人で作業移動車３を走行させながら、栽培室１内の各所での放射能による汚染状態（放射線濃度）を検出することができる。また、通常の作業等で使用頻度の高い作業移動車３により、前記汚染状態を即座に認識することができ、作物の出荷停止や作業者による作業の中止等の処置を即座に行え、放射能による被害を抑えることができる。
【００２３】
ところで、養液供給装置７は、養液を貯留する第一タンク４１並びに第二タンク４２、硝酸を貯留する酸タンク４３及び原水を貯留する原水タンク４４を備え、これらのタンク４１，４２，４３，４４内に貯留する液が各主開閉バルブ４５，４６，４７，４８を介して混合装置４９に供給され、該混合装置４９で混合される構成となっている。尚、前記第一タンク４１と第二タンク４２とは、互いに肥料成分の異なる養液を貯留している。第一タンク４１、第二タンク４２並びに酸タンク４３から混合装置４９への供給経路（供給パイプ５０，５１，５２）において、前記各主開閉バルブ４５，４６，４７の供給上手側には、各々混合前のフィルター５３，５４，５５を設けている。更に、該混合前フィルター５３，５４，５５の供給上手側には、各々副開閉バルブ５６，５７，５８を設けている。混合装置４９で混合された養液は、養液ポンプ５９及び混合後のフィルター６０を介して給液パイプ６１により栽培室１内の各栽培ベッド５へ供給される。
【００２４】
そして、酸タンク４３からの供給経路（供給パイプ５２）において、副開閉バルブ５８及び混合前フィルター５５より供給下手側で主開閉バルブ４７より供給上手側には、分岐パイプ６２（分岐経路）を接続している。この分岐パイプ６２（分岐経路）は、第一タンク４１及び第二タンク４２からの供給経路（供給パイプ５０，５１）における副開閉バルブ５６，５７及び混合前フィルター５３，５４より供給下手側で主開閉バルブ４５，４６より供給上手側の各々の位置に接続され、酸タンク４３内の硝酸を第一タンク４１及び第二タンク４２からの供給経路（供給パイプ５０，５１）へ供給可能に構成している。尚、前記分岐パイプ６２の中途部には、電磁式の分岐用の開閉バルブ６３を設けている。第一タンク４１及び第二タンク４２からの供給パイプ５０，５１において、分岐パイプ６２の接続部より供給下手側で主開閉バルブ４５，４６より供給上手側には、供給パイプ５０，５１内の流量を検出する流量センサ６４，６５を各々設けている。また、養液ポンプ５９及び混合後のフィルター６０より供給下手側には栽培室１内の各栽培ベッド５すなわち給液パイプ６１へ液を供給せずに排出するための排出パイプ６６を接続しており、該排出パイプ６６に設けた電磁式の排出用の開閉バルブ６７により、養液ポンプ５９から吐出する液を給液パイプ６１へ供給する給液状態と排出パイプ６６を介して外部に排出する排出状態に切替可能に構成している。
【００２５】
従って、栽培室１内の各栽培ベッド５へ養液を供給する通常状態では、分岐用開閉バルブ６３及び排出用開閉バルブ６７を閉じ、混合装置４９で混合された養液を給液パイプ６１へ供給する。この養液供給時に、各々の流量センサ６４，６５により第一タンク４１及び第二タンク４２からの供給パイプ５０，５１内の流量を逐次検出する。そして、養液供給時の供給パイプ５０，５１内の流量が所定値以下になった場合は、栽培室１内の各栽培ベッド５への養液供給を停止しているときに、制御装置により自動的に分岐用開閉バルブ６３及び排出用開閉バルブ６７を開いて養液ポンプ５９を駆動し、酸タンク４３内の硝酸を分岐パイプ６２を介して第一タンク４１及び第二タンク４２からの供給パイプ５０，５１へ供給し、該硝酸を排出パイプ６６を介して外部に排出する。このとき、第一タンク４１及び第二タンク４２からの供給パイプ５０，５１において各々の副開閉バルブ５６，５７を自動的に閉じ、前記供給パイプ５０，５１に供給される硝酸が該供給パイプ５０，５１を逆流して第一タンク４１及び第二タンク４２へ供給されないようにしている。よって、第一タンク４１及び第二タンク４２からの供給パイプ５０，５１において、養液中の不溶解物や不純物が詰まるおそれがあるが、流量センサ６４，６５により供給パイプ５０，５１内の詰まりを検出すると自動的に該供給パイプ５０，５１内へ洗浄液となる硝酸を注入して該供給パイプ５０，５１を自動洗浄することができ、従来のように供給パイプを分解して該パイプ内を洗浄するようなメンテナンスの手間が省けて作業能率が向上する。また、洗浄液（硝酸）は、排出パイプ６６を介して外部に排出され、栽培ベッド５に直接供給されないので、上記の洗浄により植物の成育を阻害することがない。
【００２６】
また、養液ポンプ５９の供給下手側で混合後のフィルター６０の供給上手側には、養液ポンプ５９から吐出される養液を分岐して養液ポンプ５９の供給上手側で混合装置４９の供給下手側に戻す循環経路（循環パイプ６８）を接続している。この循環経路（循環パイプ６８）には電磁式の戻り用の開閉バルブ６９を設けており、混合後フィルター６０の供給下手側に設けた圧力センサ７０により給液パイプ６１への養液供給における圧力変動が大きいことを検出すると、制御装置により自動的に前記戻り用の開閉バルブ６９を開いて養液を循環経路（循環パイプ６８）を介して循環させ、給液パイプ６１内の圧力を安定させる構成となっている。これにより、養液ポンプ５９起動時やエアがみ等によるウォーターハンマー現象を防止すると共に、養液ポンプ５９供給下手側の配管（給液パイプ６１）の破損を防止できる。また、前記循環経路（循環パイプ６８）には循環される養液の温度を検出する温度センサ７１を設けており、該温度センサ７１により養液の温度が所定値以上に上昇したことを検出すると、制御装置により強制的に養液ポンプ５９を停止させて循環パイプ６８で養液を循環させないようにして養液の温度低下を促すように構成している。これにより、養液の熱で配管内のバルブやパッキン等の構造物が溶解して破損するようなことを防止できる。従来、給液パイプ内の養液の圧力調整のために、栽培室内の各栽培ベッドへ養液を供給する給液パイプを介する長い循環経路を設けて該循環経路の養液の戻り経路部分に圧力調整バルブを設けたものがあるが、循環により養液の温度が上昇すると、養液の熱で配管内のバルブやパッキン等の構造物が溶解して破損したり養液の熱で栽培作物に悪影響を与えたりするおそれがある。
【００２７】
また、栽培ベッド５からの排液は、原水タンク４４に回収され、栽培ベッド５への給液に再利用される。栽培室１内には原水タンク４４を通る通風管２７を設け、ファン２８の駆動により通風管２７内に通風する。これにより、栽培室１内の空気が積極的に温度の低い原水タンク４４に当たって結露し、栽培室１内の空気を簡易的に除湿できると共に、後述する暖房設備により暖房された栽培室１内の空気で原水タンク４４内の原水及び養液を昇温させることができる。尚、結露した水は、通風管２７に設けた排水口２９を介して栽培室１外へ排出される。よって、後述する天窓制御における天窓３０が開く頻度又は天窓３０の開度を低く抑えることができるので、栽培室１内の室温低下を抑えることができ、暖房設備の暖房の負荷を抑えて省エネルギー化が図れる。
【００２８】
原水タンク４４には、養液の肥料濃度を検出するＥＣセンサ８６と、養液のペーハー値を検出するＰＨセンサ８７とを備えている。このＥＣセンサ８６及びＰＨセンサ８７の検出値に基づき、混合装置４９で混合される養液が所望の肥料濃度及びペーハー値となるよう、制御装置のメインの養液供給コントローラ８８により各主開閉バルブ４５，４６，４７，４８を制御する構成となっている。しかしながら、メインの養液供給コントローラ８８が故障すると、各主開閉バルブ４５，４６，４７，４８を作動させることができなくなり、養液を各栽培ベッド５へ供給できなくなり、栽培に悪影響を与えることになってしまう。そこで、制御装置には予備制御盤８９を設けており、メインの養液供給コントローラ８８が故障したときには、各主開閉バルブ４５，４６，４７，４８の制御を前記予備制御盤８９により行える構成とし、該予備制御盤８９の制御に切り替えると、各主開閉バルブ４５，４６，４７，４８を予め設定した時間のみ開いて養液を作成し、養液を各栽培ベッド５へ簡易的に供給できる。これにより、供給する養液の肥料濃度やペーハー値の制御精度は低下するが、栽培ベッド５へ養液が供給できなくなるのを一時的に回避でき、植物が枯れるような大きな被害を回避することができる。予備制御盤８９により養液供給制御を行っている間にメインの養液供給コントローラ８８を修理し、メインの養液供給コントローラ８８が正常に復帰すれば、メインの養液供給コントローラ８８による養液供給制御に切り替えればよい。尚、予備制御盤８９により養液供給制御において、予め設定される各主開閉バルブ４５，４６，４７，４８の開時間のパターンを複数備え、ＥＣセンサ及びＰＨセンサの検出値に応じて前記パターンを切り替える構成としてもよい。
【００２９】
また、栽培ベッド５からの排液の肥料成分（例えば、窒素成分、カリ成分、カルシウム成分、リン酸成分等）を分析する成分分析計を設け、制御装置により成分分析計で測定した排液の肥料成分と栽培用に予め設定した設定肥料成分を比較して、養液タンクである第一タンク４１及び第二タンク４２から排液で不足する肥料成分が多く供給され、排液で余剰する肥料成分が少なく供給されるべく、主開閉バルブ４５，４６の開く時間又は開度を制御し、排液に養液タンクから養液を混合した新たな養液を作成する。これにより、排液を使用するにも拘らず、所望の肥料成分で高精度に安定させた養液を栽培ベッド５へ供給できる。尚、排液で不足する肥料成分は植物が多く吸収していることから植物が多量に要求していると判断し、排液で余剰する肥料成分は植物の吸収量が少ないことから植物の要求度が低いと判断し、植物の要求に合わせて設定肥料成分を補正してもよい。これにより、更に栽培状況に応じた高精度な養液供給制御が行えると共に、肥料の無駄を防止でき、肥料濃度の高い排液を最終的に廃棄することによる環境負荷を低減できる。
【００３０】
養液供給コントローラ８８による養液供給制御における養液供給は、タイマにより所定時刻に養液を供給する構成となっている。また、栽培ベッド５からの排液の受ける排液受け容器１１０を設け、排液受け容器１１０内の排液の液位を検出するフロート式の液位センサ１１１を設け、排液受け容器１１０からの排液の排出口には電磁式の排出弁１１２を設けている。尚、排出弁１１２は、通常は開状態となっており、栽培ベッド５からの排液を排出する。そして、タイマによる養液供給時とこの養液供給終了から所定時間の間には養液供給コントローラ８８により排出弁１１２を閉状態にし、栽培ベッド５からの排液を排液受け容器１１０に溜め、液位センサ１１１により排液が所定の液位に満たないことを検出すると、排出弁１１２を開状態に戻す。一方、液位センサ１１１により排液が所定の液位に到達したことを検出すると、排出弁１１２を開状態に戻して排液を排出すると共に予め設定した特別養液供給時間だけ特別に養液供給を行う。これにより、栽培ベッド５上の植物に養液の水分や養分が十分に供給されていないと判断されるとき、特別に養液供給を行って水分や養分を補充することができる。尚、通常の良好な栽培の下では、供給した養液の約３０％が排液となるので、液位センサ１１１により検出する液位を、タイマによる養液供給の１回当たりの養液供給量の約３０％に相当する液位に設定している。尚、１回当たりの養液供給量を変更するとき、これに基づいて養液供給量の所定の割合（約３０％）に相当する液位とするべく前記所定の液位を変更する構成としてもよい。また、前記特別養液供給時間は、作業者が任意に変更できる構成としてもよい。
【００３１】
また、上述のタイマによる養液供給に代えて、養液供給を開始してから栽培ベッド５が排液を排出するまでの時間に基づき、次回の養液供給開始時刻を設定する構成とすることもできる。上述の構成と異なる構成についてのみ説明すると、養液供給コントローラ８８により、養液供給開始時に排出弁１１２を閉状態にし、養液供給開始時刻と栽培ベッド５からの排液が排液受け容器１１０に排出されたことを液位センサ１１１により検出した時刻とのタイムラグに基づき、このタイムラグが短ければ次回の養液供給開始時刻を遅めに設定し、前記タイムラグが長ければ次回の養液供給開始時刻を早めに設定する。例えば、当回の養液供給開始時刻を８時で次回の養液供給開始時刻を９時に設定しているとき、前記タイムラグが５分と短いときは次回の養液供給開始時刻を３０分遅らせて９時３０分に補正し、前記タイムラグが３０分と長いときは次回の養液供給開始時刻を３０分早めて８時３０分に補正する。これにより、栽培ベッド５内の水分量を所望に維持することができる。
【００３２】
尚、原水タンク４４内の原水は、井戸水（地下水）を使用している。具体的には、地下水を汲み上げる汲み上げポンプ１１３及び電磁式の原水補充弁１１４を順に介して原水タンク４４へ原水が供給される。この汲み上げ供給経路において、汲み上げポンプ１１３よりも原水供給下手側で原水補充弁１１４よりも原水供給上手側には、汲み上げられた地下水の放射線濃度を測定する地下水放射線濃度測定器１１５を設け、地下水放射線濃度測定器１１５よりも原水供給下手側で原水補充弁１１４よりも原水供給上手側には、地下水を地下に戻す戻し経路１１６を接続している。また、戻し経路１１６には、電磁式の地下水戻し弁１１７を設けている。従って、養液供給コントローラ８８により、地下水放射線濃度測定器１１５により規定以上の放射線濃度を検出したときには、原水補充弁１１４を閉じ、地下水戻し弁１１７を開き、放射能で汚染された地下水を即座に地下へ戻して原水タンク４４へ供給しない構成となっている。これにより、放射能による汚染被害を確実に防止できる。
【００３３】
この栽培室１の暖房設備について説明すると、化石燃料である重油又は灯油等の石油を燃焼させた熱を利用して温水を加温する石油ボイラーである第一加温装置３１と、化石燃料以外の燃料である植物の残渣（例えば籾殻等）やおがくず等の製材副産物を圧縮成形した木質ペレット等を燃焼させた熱を利用して温水を加温する木質ペレットボイラーである第二加温装置３２と、第一加温装置３１及び第二加温装置３２に温水を供給する加温管３３と、加温管３３により加温された温水をポンプ３４へ供給するための第一供給管３５と、ポンプ３４からの温水を温室内の暖房用管３７へ供給するための第二供給管３６と、暖房用管３７から加温管３３へ温水を戻すための戻り管３８を設け、加温管３３、第一供給管３５、第二供給管３６、暖房用管３７及び戻り管３８を経由する温水の循環経路を構成している。尚、第一加温装置３１、第二加温装置３２及び加温管３３は栽培室１外の管理室２５内に配置され、第一加温装置３１及び第二加温装置３２が加温管３３に沿って直列状に配置され、暖房用管３７は栽培室１内の各サブ通路９に沿って配置されている。また、第一供給管３５と戻り管３８を繋ぐバイパス管７２を設け、加温管３３を経由せずにバイパス管７２、第一供給管３５、第二供給管３６、暖房用管３７及び戻り管３８を経由する温水の循環経路を構成し、バイパス管７２と第一供給管３５の接続部には、加温管３３側から合流する流量の割合とバイパス管７２側から合流する流量の割合を調節する流量割合調節可能な切替弁（三方弁）７３を設けている。尚、第二供給管３６には、該第二供給管３６を流れる温水の温度を検出する温水温度センサ７５を設けている。栽培室１には、栽培室１内の室温を検出する室温センサ７４と、栽培室１内の湿度を検出する湿度センサ７６を設けている。また、温風を吹き出す温風暖房機（ヒートポンプ）１０４を設けている。この温風暖房機（ヒートポンプ）１０４は、電力により作動する。
【００３４】
栽培室１の屋根には無数の天窓３０を縦横に配置しており、天窓３０は、押上装置７７により下側から押し上げられて開閉する構成となっている。また、栽培室１の屋根上には降雨の有無及び降雨の強さを検出する降雨センサ９０を設けている。
【００３５】
栽培室１の環境を制御する制御部（コントローラ）２６は、栽培室１外の管理室２５内に配置され、室温センサ７４と、湿度センサ７６及び降雨センサ９０の検出値を入力し、これらのセンサの検出に基づいて押上装置７７へ作動信号を出力する。
【００３６】
例えば昼間は高めに夜間は低めにというように一日の時間帯に応じて目標室温を演算して設定すると共に、設定される目標温度に対応して目標温度が高いほど低くなるように目標湿度を演算して設定する。尚、目標温度及び目標湿度は、上述の一日の時間帯に基づく設定方法以外に、作物の栽培過程や季節等に基づいて設定値を変更したり、作業者が一定の設定値に設定したりしてもよい。そして、目標温度よりも室温センサ７４で検出される検出温度が高いか、又は目標湿度よりも湿度センサ７６で検出される検出湿度が高くなると、押上装置７７を作動させて天窓３０を開く天窓制御を実行する。尚、降雨センサ９０により降雨が激しいと判断されるときには、天窓３０を閉じる制御を行う。
【００３７】
また、制御部（コントローラ）２６は、第一の設定室温よりも室温センサ７４で検出される検出室温が低いとき、温風暖房機（ヒートポンプ）１０４を作動する。
【００３８】
また、制御部（コントローラ）２６は、温水温度センサ７５の検出値を入力し、第一加温装置３１、第二加温装置３２、ポンプ３４及び切替弁７３へ作動信号を出力する。そして、第二の設定室温よりも室温センサ７４で検出される検出室温が低いとき、第二の設定室温に基づいて第二供給管３６を流れる温水の目標温度を演算する。尚、第二の設定室温は、第一の設定室温よりも低温に設定されている。尚、第二の設定室温が高くなるにつれて一次関数的に（第二の設定室温に拘らず第二の設定室温の一定の変化量に対する前記目標温度の変化割合が同一となる演算式に基づいて）前記目標温度が高く設定される。更に、温水温度センサ７５により検出される温水の検出温度が目標温度よりも低いと、検出温度と目標温度の差が大きくなるにつれて一次関数的に（前記差に比例して）加温管３３側から合流する流量の割合が多くなるように加温管３３側からの設定流量割合が演算されて設定される。従って、第二の設定室温よりも室温センサ７４で検出される検出室温が低く且つ温水の検出温度が目標温度よりも低いとき、検出温度と目標温度の差が大きいほど、加温管３３側から合流する流量の割合が多くなるように設定される加温管３３側からの設定流量割合に基づいて切替弁７３が作動する。また、前記加温管３３側からの設定流量割合が予め設定される第一の所定の割合（０％）以下のとき、第一加温装置３１及び第二加温装置３２の燃焼運転を共に停止させる。尚、制御部２６により、温風暖房機（ヒートポンプ）１０４が所定時間（例えば１０分）以上連続して作動しているとき、はじめて第一加温装置３１及び第二加温装置３２の燃焼運転が開始される。温風暖房機（ヒートポンプ）１０４が停止しているときは、第一加温装置３１及び第二加温装置３２も停止する構成となっている。第二の設定室温よりも室温センサ７４で検出される検出室温が低く且つ温水の検出温度が目標温度よりも低いとき、加温管３３側からの設定流量割合が予め設定される第一の所定の割合（０％）を超過し予め設定される第二の所定の割合（１００％）未満のとき、第二加温装置３２のみを燃焼運転して第一加温装置３１の燃焼運転を停止させる。第二の設定室温よりも室温センサ７４で検出される検出室温が低く且つ温水の検出温度が目標温度よりも低いとき、加温管３３側からの設定流量割合が予め設定される第二の所定の割合（１００％）以上のとき、第一加温装置３１及び第二加温装置３２を共に燃焼運転する。尚、前述した割合とは、第二供給管３６を流れる合流した合流量に対する加温管３３側からの流量の割合である。尚、室温センサ７４で検出される検出室温や温水温度センサ７５により検出される温水の検出温度に関係なく、常にポンプ３４を作動させる。
【００３９】
従って、第二供給管３６を流れる温水の温度が高くなって、該温水の検出温度と温水の目標温度の差が小さくなると、切替弁７３が作動して加温管３３側から合流する流量の割合が少なくなると共にバイパス管７２側から合流する流量の割合が多くなり、第一加温装置３１又は第二加温装置３２で加温される温水が第二供給管３６ひいては暖房用管３７に供給される量を抑え、熱量を無駄に消費しないようにし、省エネルギー化が図れる。第二供給管３６を流れる温水の温度が低くなって、該温水の検出温度と温水の目標温度の差が大きくなると、切替弁７３が作動して加温管３３側から合流する流量の割合が多くなると共にバイパス管７２側から合流する流量の割合が少なくなり、第一加温装置３１又は第二加温装置３２で加温される温水が第二供給管３６ひいては暖房用管３７に多量に供給されるようにし、栽培室（温室）１を能率良く暖房できる。また、加温管３３側からの設定流量割合が第二の所定の割合よりも小さく設定されるときは第二加温装置３２のみを燃焼運転して第一加温装置３１の燃焼運転を停止させ、限りある資源である化石燃料の消費を抑え、省エネルギー化が図れる。そして、加温管３３側からの設定流量割合が所定の割合よりも大きく設定されるときは第一加温装置３１及び第二加温装置３２を共に燃焼運転し、温水の加温量を増大させて栽培室（温室）１を能率良く暖房できる。尚、目標湿度よりも湿度センサ７６で検出される検出湿度が高くなって天窓３０を開けば、栽培室１内の室温が低下するが、それにより第二の設定室温よりも室温センサ７４で検出される検出室温が低く且つ温水の検出温度が目標温度よりも低くなれば、前述と同様に暖房制御する。
【００４０】
よって、化石燃料以外の燃料（廃棄物や副産物等）を燃焼させた熱を利用して加温する加温装置を利用して温室を効率良く暖房できると共に、省エネルギー化が図れる。
【００４１】
また、栽培室１内が第一の設定室温よりも低い第二の設定室温以下で、且つ温風暖房機（ヒートポンプ）１０４が所定時間（例えば１０分）以上連続して作動しているときのみ、第一加温装置３１及び第二加温装置３２を燃焼運転するので、温風暖房機（ヒートポンプ）１０４で暖房を賄える場合に無闇に第一加温装置３１及び第二加温装置３２を作動させて無駄に燃料（特に石油）を消費しないようにでき、省エネルギー化が図れる。
【００４２】
尚、サブ通路９の走行用のレール（暖房用管３７）上で、補助暖房機を走行させてもよい。補助暖房機は、電気式のヒートポンプを備え、温風を側方に吹き出しながら走行する構成である。そして、栽培室１内の複数の箇所に温度センサを設け、栽培室１内の温度のむらがあるとき、温度の低い箇所（局所）のみを補助暖房機で暖房することにより、栽培室１内の温度を均一にでき栽培の均一化が図れる。尚、複数の温度センサからの検出信号に基づき、補助暖房機を自動走行させて局所を自動的に暖房する構成とすればよい。
【００４３】
そして、栽培室１の天井部となる栽培ベッド５の左右中央の上方位置には、前後方向に延びる上部移動レール１１８を設けている。従って、上部移動レール１１８は、左右に配列される栽培ベッド５に対応して左右に複数配列される。そして、上部移動レール１１８に沿って該上部移動レール１１８の下側に吊り下げ支持された前後移動体１１９が前後に移動する構成となっている。前後移動体１１９は、具備する移動用モータ１２０の駆動により前後に移動する構成となっており、誘引ワイヤ８０よりも上位に配置されている。更に、前後移動体１１９の下側に、栽培補助用装置となる栽培補助用配管１２１が吊り下げ支持されている。従って、前後移動体１１９と共に栽培補助用配管１２１が前後に移動する構成となっている。栽培補助用配管１２１は、前後移動体１１９から栽培ベッド５の左右一対の栽培条の左右間で栽培ベッド５の直上付近まで下方向に延び、下端が誘引ワイヤ８０よりも下位に位置する。また、栽培補助用配管１２１は、配管内の流体を外周壁に設けた無数の吐出口から吐出する構成となっており、栽培補助用配管１２１の左右一方側の栽培条に向く複数の吐出口を上下に配列した吐出口列と、栽培補助用配管１２１の左右他方側の栽培条に向く複数の吐出口を上下に配列した吐出口列とを有している。この栽培補助用配管１２１に二酸化炭素供給装置から発生される二酸化炭素や加湿機から発生される加湿空気が切替制御弁等を介して供給される構成となっており、ひいては栽培補助用配管１２１の吐出口から二酸化炭素や加湿空気を吐出する構成となっている。また、栽培補助用配管１２１の左右両側には、各々所定の上下ピッチで配列された複数の照明器具１２２が取り付けられている。尚、この上下に配列された複数の照明器具１２２も、左右一対の栽培条の左右間の上方から吊り下げられ上下方向に延びる栽培補助用装置となる。
【００４４】
従って、栽培植物へ二酸化炭素を供給する必要があるときは、栽培補助用配管１２１へ二酸化炭素を供給しながら該栽培補助用配管１２１を上部移動レール１１８に沿って移動させ、栽培室１内又は栽培植物の周辺を加湿する必要があるときは、栽培補助用配管１２１へ加湿空気を供給しながら該栽培補助用配管１２１を上部移動レール１１８に沿って移動させ、栽培植物へ補光を施す必要があるときは、照明器具１２２を点灯しながら栽培補助用配管１２１を上部移動レール１１８に沿って移動させる。また、別途実施した栽培室１内の植物の生育診断に基づいて生育状況が芳しくない栽培室１内の一部の領域を判断し、この栽培室１内の一部の領域にのみ二酸化炭素又は加湿空気を供給するときあるいは補光を行うときは、前記領域に栽培補助用配管１２１を移動させた後、該栽培補助用配管１２１へ二酸化炭素又は加湿空気を供給しながらあるいは照明器具１２２を点灯しながら前記領域内でのみ栽培補助用配管１２１を上部移動レール１１８に沿って移動させる。これらの二酸化炭素又は加湿空気の供給あるいは照明器具１２２を点灯等の栽培補助を実行しながら、作業者は、作業移動車３に搭乗してサブ通路９上で該サブ通路９に面する栽培条の植物に対する作業（芽欠き作業、葉欠き作業、収穫作業等）を行うことができる。
【００４５】
尚、夜間に補光を行えば、植物の光合成を短時間で効率良く活性化でき、照明器具１２２による消費電力を低減できてランニングコストの低減が図れる。光合成の活性化のため補光を行うとき、併せて二酸化炭素を供給すると共に加湿して植物の葉の気孔が開くことを促せば、効率良く光合成を活性化させることができる。また、栽培補助用配管１２１に栽培領域における二酸化炭素の濃度を検出する二酸化炭素濃度センサや栽培領域における湿度を検出する湿度センサを設け、二酸化炭素濃度センサや湿度センサの検出値に基づいて二酸化炭素の供給や加湿空気の供給を制御する構成とすれば、無闇に二酸化炭素や加湿空気を供給することが抑えられてランニングコストの低減が図れる。
【００４６】
また、照明器具１２２として、発する光の波長の異なる種々の蛍光灯等の照明灯（赤色光、青色光、緑色光、近赤外光等）を備え、通常は光の強度を得るために全ての種類の照明灯を点灯させ、植物の生育診断（葉や茎が過剰に茂っている等）に基づいて植物に必要な波長の光（葉や茎の生育を抑制する光）のみを照射する構成としてもよい。
【００４７】
尚、左右に複数配列される上部移動レール１１８の各々に対応して前後移動体１１９及び栽培補助用配管１２１を設けてもよいが、前後移動体１１９及び栽培補助用配管１２１を複数の上部移動レール１１８間で移動させ、複数の上部移動レール１１８で共通の前後移動体１１９及び栽培補助用配管１２１を前後移動させる構成としてもよい。このとき、上部移動レール１１８の一端側で複数の上部移動レール１１８にわたる左右移動用レール１２３により、複数の上部移動レール１１８間で前後移動体１１９及び栽培補助用配管１２１を左右移動させる構成とすればよい。
【００４８】
尚、栽培補助用配管１２１へ冷水を供給し、吐出口から細霧を発生させて細霧冷房を行うこともできる。この細霧冷房は、加湿作用を得ることもできる。また、共通の栽培補助用配管１２１にて二酸化炭素の供給と細霧冷房とを行うときは、冷水を貯留する冷水タンク内に二酸化炭素を混ぜて溶け込ませ、この冷水タンク内の冷水を水送出用ポンプを介して栽培補助用配管１２１へ供給し、二酸化炭素の供給と細霧冷房とを同時に行うことができる。この構成において、二酸化炭素の供給のみを行うときは、二酸化炭素供給装置のコンプレッサにより、上記の冷水送出回路における水送出用ポンプよりも移送下手側で二酸化炭素の気体を供給し、栽培補助用配管１２１へ前記気体を送る。また、細霧冷房のみを行うときは、冷水タンク内に二酸化炭素を混ぜずに該冷水タンク内の冷水を栽培補助用配管１２１へ送ることになる。尚、吐出口の近くに循環用ファンを設ければ、循環用ファンにより二酸化炭素や細霧を栽培室１内に拡散させることもできる。
【００４９】
尚、栽培室１の天井部には遮光カーテン１２４を設けており、日射量の大きいときや栽培室１内の室温が高いとき等に遮光カーテン１２４により遮光することで植物が受ける光量を所望に維持したり室温の上昇を抑制する。この遮光カーテン１２４は、天井部で短冊状に区分けされて栽培ベッド５（栽培ユニット）に対応して複数設けられており、長手方向が前後方向（栽培ベッド５及び栽培条に沿う方向）に向いている。そして、短手方向（左右方向）の端部から巻取用モータで駆動して回転する巻取軸により巻き取られて左右方向に開く構成となっている。また、各々の遮光カーテン１２４は、左右移動用モータにより巻取用モータ及び巻取軸ごと左右方向に移動可能な構成となっている。従って、遮光カーテン１２４により、栽培条に沿って遮光することができるので、同じ栽培条の全ての栽培株への日射を遮光でき、生育状態のばらつきを防止できる。また、太陽高度に対応して遮光カーテン１２４を左右方向に移動させ、確実に栽培株への日射の遮光が行える。尚、遮光カーテン１２４は、左右両端から開き得る両開き式に構成してもよい。また、栽培室１内に日射量センサを設け、制御部２６により日射量センサの検出に基づいて巻取用モータを作動させ遮光カーテン１２４の開閉を制御する構成としてもよい。
【００５０】
植物が健康で日射が強くても光合成が行えるとき、植物への日射を遮光することは好ましくない。しかしながら、栽培室１内の室温が高いときは、できるだけ遮光して室温の温度上昇を抑制することが好ましい。そこで、左右移動用モータにより遮光カーテン１２４を左右移動させ、栽培株への日射は遮光せずにサブ通路９上への日射を遮光することができる。このとき、日射量センサを栽培植物の群落上に設け、制御部２６により栽培植物が確実に日射を受けるべく日射量センサの検出に基づいて左右移動用モータを作動させ遮光カーテン１２４の位置を制御する構成としてもよい。また、日射が強すぎて植物の温度が異常に上昇すると栽培に悪影響を与えるおそれがあるときは、遮光カーテン１２４の位置を制御して栽培株への日射を遮光しながらサブ通路９上への日射を遮光せず、遮光カーテン１２４を開いた部分で栽培室１内の換気を図って室温の上昇を抑えることができる。尚、栽培室１内に複数の日射量センサを設け、遮光カーテン１２４の開閉や遮光カーテン１２４の位置を高精度で制御する構成としてもよい。
【００５１】
また、複数の日射量センサを植物に沿って上下に配列し、通常時に日射環境の悪い植物の下部に日射が当たるべく、下側の日射量センサが受ける日射量を大きくするべく遮光カーテン１２４の開閉や位置を制御することができる。また、例えば上段、中段及び下段に各々日射量センサを設け、上述と同様に通常は下段の日射量センサが日射を受けるべく遮光カーテン１２４を制御し、植物の下部は強い日射を受けてもあまり光合成速度が上昇せずに光合成の十分な活性化が図れず、植物の上部側ほど日射の強度に伴って光合成速度が上昇して光合成の活性化が図れるので、下段の日射量センサが受ける日射量が第一の設定日射量を超えると、中段の日射量センサが日射を受けるべく遮光カーテン１２４を制御し、更に中段の日射量センサが受ける日射量が第一の設定日射量よりも大きい第二の設定日射量を超えると、上段の日射量センサが日射を受けるべく遮光カーテン１２４を制御し、日射が強すぎて植物の温度が異常に上昇すると栽培に悪影響を与えるおそれがあるので、更に上段の日射量センサが受ける日射量が第二の設定日射量よりも大きい第三の設定日射量を超えると、植物への日射を遮光しサブ通路９上へ日射が照射されるべく遮光カーテン１２４を制御する。
【００５２】
従来の遮光カーテン１２４は、天井部で短冊状に区分けされて複数設けられているが、長手方向が左右方向（栽培ベッド５及び栽培条に交差する方向）に向いており、短手方向（前後方向）の端部から巻取用モータで駆動して回転する巻取軸により巻き取られて左右方向に開く構成となっているので、栽培条において遮光される栽培株と遮光されない栽培株が生じ、栽培株によって生育がばらつくことが懸念される。尚、従来の遮光カーテン１２４は、短手方向（前後方向）の一端部から開くだけで、短手方向（前後方向）に移動しない構成となっている。
【００５３】
また、栽培補助用配管１２１を栽培室１内の天井部に横方向に向けて複数固定し、栽培補助用配管１２１の下方に吸水性のあるシート（不織布、ネット、ガーゼ等）１２５を敷設し、栽培室１の側壁の下部に換気ファン１２６を設けた構成としてもよい。この構成により、栽培補助用配管１２１の吐出口から冷水を吐出してシート１２５に給水させ、換気ファン１２６により栽培室１内の空気を栽培室１の外方へ送風すると、栽培室１内で上方から下方への空気流が発生してシート１２５の水分の気化が促進され、パッドアンドファンと同様に栽培室１内の冷却効果を得ることができる。このとき、天窓３０を開放しておくと、栽培室１内で上方から下方への空気流が発生し易く、更なる冷却効果が得られる。これにより、栽培室１内の全域にわたって冷却効果の均一化が図れ、特に、シート１２５が天井部にあるので比較的栽培室１内の上部の冷却効果が増すので、栽培室１内の上下方向にわたって室温の均一化が図れる。尚、シート１２５は、植物が日光を受けるべく、ある程度の光透過性を有している。
【００５４】
尚、植物の残渣（例えば籾殻等）やおがくず等の製材副産物を圧縮成形した木質ペレット等の燃料を燃焼させた熱を利用して温風を発生させ、この温風を栽培室１内に直接供給して暖房する加温装置を設けてもよい。尚、前記温風は、燃料を燃焼させた二酸化炭素を多く含む一次的な空気を直接使用するのでなく、熱変換により得られるクリーンな二次的な空気を使用して送風される構成としている。このとき、更なる暖房効果を得るべく、栽培室１の外周壁を２重構造とし、前記一時的な空気を前記２重構造の内部に送風することができる。この一時的な空気は、前記外周壁を循環した後、屋外に排気される構成とすればよい。
【００５５】
以上により、この栽培施設は、左右一対の栽培条にて植物を栽培する栽培ユニットを左右並列に複数設け、各々の栽培ユニットの左右間に前後方向の通路９を形成し、左右一対の栽培条の左右間の上方から吊り下げられ上下方向に延びる栽培補助用装置１２１，１２２を、前後方向に移動可能に設けている。
【００５６】
よって、請求項１に係る発明によると、上下方向に延びる栽培補助用装置１２１，１２２により、植物の上下にわたって栽培補助作用を与えることができる。また、栽培補助用装置１２１，１２２が前後方向に移動することにより、左右両側の栽培条の前後幅にわたって栽培補助作用を与えることができる。しかも、栽培補助用装置１２１，１２２が前後方向に移動するので、植物の採光性を妨げることが極力抑えられ、良好な栽培が行える。更に、通路９に面する栽培条に対して通路とは左右反対側に栽培補助用装置１２１，１２２が位置するので、通路９からの作業の邪魔になりにくく、作業性が向上する。
【００５７】
尚、前述の栽培ベッド５は架台により地面に支持される構成であるが、栽培室１内の上方から吊下支持部材を介して栽培ベッド５を吊り下げて支持する構成としてもよい。
【００５８】
また、前述では二酸化炭素供給、加湿及び補光を行う栽培補助用装置について説明したが、栽培補助用装置としては冷房、暖房、防除、施肥又は養液供給を行う構成であってもよい。尚、栽培補助用配管１２１は、二酸化炭素、加湿空気又は加温空気等の気体が供給されるばかりでなく、温水や冷水等の液体が供給されるものであってもよい。
【図１】
2014124167.tif 000003
【図２】
2014124167.tif 000004
【図３】
2014124167.tif 000005
【図４】
2014124167.tif 000006
【図５】
2014124167.tif 000007
【図６】
2014124167.tif 000008
【図７】
2014124167.tif 000009
【図８】
2014124167.tif 000010
【図９】
2014124167.tif 000011
【図１０】
2014124167.tif 000012
【図１１】
2014124167.tif 000013
【図１２】
2014124167.tif 000014
【図１３】
2014124167.tif 000015
【図１４】
2014124167.tif 000016
【図１５】
2014124167.tif 000017
【図１６】
2014124167.tif 000018